(57)【要約】【課題】包装するネギ等の野菜に水分の補給ができるように必要量の水分の保持を可能にして野菜の鮮度を長く保つことができるようにし、その水分が漏れにくいようにして、周囲を濡らしたり汚すことのない袋容器を提供する。【解決手段】袋容器Ａ１は管状の袋本体１と、袋本体１の封止側端部にポケット部Ｐを形成するポケットシート２により形成されている。袋本体１は、外形が同じ細長い長方形状のベース側シート１１と通水側シート１２を重ね合わせて、開口部１３を除く周縁部を熱溶着して形成してある。通水側シート１２の封止側端部には多数の通水孔１４が設けてある。通水側シート１２の封止側端部にはポケットシート２が通水孔１４が設けてある部分を覆うように重ねられ、開口部２１を除く周縁部をベース側シート１１及び通水側シート１２とともに熱溶着してある。これにより、ポケット部Ｐが形成され、ポケット部Ｐの内部には保水体４が収容されている。【選択図】　　　　図５
2004099099.tif 000002
【特許請求の範囲】
【請求項１】
シートで管状に形成され、一端側が封止されている袋本体（１）と、
袋本体（１）の封止側の外部にポケット（Ｐ）を形成するために設けられているポケットシート（２）と、
を有しており、
袋本体（１）のうちポケットシート（２）で覆われている部分に、袋本体（１）内部に通じる所要数の通水孔（１４）が設けられていることを特徴とする、
袋容器。
【請求項２】
ポケット（Ｐ）の内部または袋本体（１）内部の封止側に、水分を含ませることができる保水体（４）が収容されていることを特徴とする、
請求項１記載の袋容器。
【請求項３】
ベース側シート（１１）と、ベース側シート（１１）に重ねられ通水孔（１４）が設けてある通水側シート（１２）と、通水側シート（１１）に通水孔（１４）を覆うように重ねられるポケットシート（２）からなる重ね合わせ体を熱溶断するとともに熱溶着し、ベース側シート（１１）と通水側シート（１２）でつくられ通水孔（１４）側が封止された管状の袋本体（１）に通水孔（１４）を覆うポケットシート（２）でポケットを設けた袋容器を形成することを特徴とする、
袋容器の製造方法。
【発明の詳細な説明】
【０００１】
【発明の属する技術分野】
本発明は、袋容器及びその製造方法に関するものである。更に詳しくは、包装または収容する例えばネギ等の野菜に、輸送時や陳列時に水分の補給ができるように必要量の水分の保持を可能にして野菜の鮮度を長く保つことができるようにし、更にその水分が漏れにくいようにして、周囲を濡らしたり汚すことのないようにしたものに関する。
【０００２】
【従来技術】
例えば野菜は、鮮度を保つため、及び出荷作業時や輸送時における積み重ねの圧力や接触等によって傷むことがないように、一般的にプラスチックフィルム等で包装されて出荷されている。
また、野菜の中でも根が付いた状態で出荷されるネギ等は、出荷後の輸送時や店頭での陳列時において根に水分を補給することによって鮮度を長く保つことができる。
【０００３】
このようなネギ等の野菜に水分を補給できるようにした袋容器が従来より提案されている（例えば特許文献１参照）。
この特許文献１に記載された袋容器（野菜入れ容器）は、底部側が封止された管状の袋容器の底部寄りに穴を設け、この穴の位置まで水を溜めることができるようになっている。
【０００４】
【特許文献１】
特開平８−４８３８４号公報
【０００５】
この袋容器によれば、店頭での陳列時において、例えば水を入れたバケツ等の容器に穴が設けてある側が水に浸かるように立てておくことにより穴から水が入り根に供給される。また、容器から取り出された後も、袋容器の底部には穴より下側に水がわずかに残るので、野菜が袋容器から取り出されるまで、水分を供給し続けることができる。
また、その他にも管状の袋容器の底部（封止側）に穴を設けたものも一般に使用されている。
【０００６】
【発明が解決しようとする課題】
しかしながら、上記従来の袋容器には、次のような課題があった。
すなわち、上記公報記載のものは、店頭において水を入れた容器に浸ける等して袋容器に水を保持している状態で陳列されているネギ等の野菜を買い物籠に入れたとき、袋容器に設けられている穴から水が漏れて周りを濡らしたり汚したりすることがある。このため、一旦水抜きをして買い物籠に入れる必要があり、その分手間がかかる。また、水を抜いてしまうと、以降は水分が根に供給されないので、鮮度を保つことが難しくなる。
【０００７】
また、上記袋容器の底部に穴を設けたものは、水は溜まらないが穴から滴が垂れて周りを濡らしたり汚したりしやすく、水が抜けた後は鮮度を保つことが難しいのは同様である。
【０００８】
（本発明の目的）
本発明の目的は、例えば包装または収容するネギ等の野菜に、輸送時や陳列時において水分の補給ができるように必要量の水分の保持を可能にして野菜等の鮮度を長く保つことができるようにし、更にその水分が漏れにくいようにして、周囲を濡らしたり汚すことのない袋容器を提供することである。
【０００９】
【課題を解決するための手段】
上記課題を解決するために講じた本発明の手段は次のとおりである。
第１の発明にあっては、
シートで管状に形成され、一端側が封止されている袋本体と、
袋本体の封止側の外部にポケットを形成するために設けられているポケットシートと、
を有しており、
袋本体のうちポケットシートで覆われている部分に、袋本体内部に通じる所要数の通水孔が設けられていることを特徴とする、
袋容器である。
【００１０】
第２の発明にあっては、
ポケットの内部または袋本体内部の封止側に、水分を含ませることができる保水体が収容されていることを特徴とする、
第１の発明に係る袋容器である。
【００１１】
第３の発明にあっては、
ベース側シートと、ベース側シートに重ねられ通水孔が設けてある通水側シートと、通水側シートに通水孔を覆うように重ねられるポケットシートからなる重ね合わせ体を熱溶断するとともに熱溶着し、ベース側シートと通水側シートでつくられ通水孔側が封止された管状の袋本体に通水孔を覆うポケットシートでポケットを設けた袋容器を形成することを特徴とする、
袋容器の製造方法である。
【００１２】
本明細書で使用しているシートの用語は、フィルムを含む概念である。
袋容器の形状（外形）は、畳んだ状態（平たくした状態）では通常長方形状であるが、これに限定されるものではなく、包装されるものの形状に合わせて例えば円形状、楕円形状、各種多角形状等、様々な形状に形成できる。
また、袋容器を管状にする方法としては、例えば合成樹脂を押出成形加工等によって管状（チューブ状）にする方法、シートを丸めて端部同士を溶着または接着する方法または二枚のシートを重ねて両端側を溶着または接着する方法等であるが、これらに限定されるものではない。
【００１３】
シートの材質（素材）は、例えばセロファン、ポリ塩化ビニル、ポリ塩化ビニリデン、ポリプロピレン、ポリエステル、ポリエチレン等の合成樹脂あるいは防水紙等の紙等であるが、これらに限定されるものではない。
【００１４】
通水孔の大きさ、形状、個数等は特に限定されるものではなく、適宜設定されるものである。
保水体の材質（素材）は、例えば紙、不織布、繊維を圧縮したもの、あるいはスポンジ、ウレタンフォーム等であるが、これらに限定はされない。また、保水体の形状、大きさ、量等は特に限定されるものではなく、必要な保水量に合わせて適宜設定されるものである。
【００１５】
（作用）
本発明に係る袋容器は次のように作用する。
管状の袋本体には、開口側（封止側と反対側）から、ネギ等の野菜が収容される。
例えばネギには根が付いており、ネギはこの根が付いている側が通水孔側（封止側）に収まるようにして収容される。袋本体の開口側は、必要に応じて熱溶着されて封止される。
なお、本発明に係る袋容器への収容の対象となるものは、各種野菜の他、切り花等の生花があるが、これらに限定されるものではない。
【００１６】
袋容器に収容されたネギ等を例えばまとめて立てて上から散水すれば、各袋容器のポケットに水が入り、水分は通水孔を通って根に供給されて、ネギ等の鮮度を保つことができる。なお、ネギ等を収容した袋容器は、水を入れた容器に挿して水分を供給することもできる。ポケット及び袋本体底部に入った水は、ポケットの作用で外部へは容易には漏れないので、周りを濡らしたり汚したりしにくい。
【００１７】
ポケットの内部または袋本体内部の封止側に保水体を収容したものは、保水体に水を含ませることにより、散水したり水に浸けたりすることなく、通水孔を通じて袋本体内にあるネギ等の根に水分を供給することができ、鮮度を保つことができる。
また、水は保水体に取り込まれて保持されるので流れ出しにくく、ポケットの作用とも相まって、周囲を汚しにくい効果がより高い。
【００１８】
【発明の実施の形態】
本発明を図面に示した実施の形態に基づき更に詳細に説明する。
図１は本発明に係る袋容器の一実施の形態を示す斜視図、
図２は袋容器の構造を示す各シートを分離した説明図である。
【００１９】
袋容器Ａ１は、ネギ用の包装袋であり、透明なプラスチックフィルムで形成されている。袋容器Ａ１は、一端側が封止（閉塞）され他端側は開口（開放）された管状の袋本体１と、袋本体１の封止側端部の外部側にポケット部Ｐを形成するために設けられたポケットシート２により形成されている。
袋本体１は、外形が同じ細長い長方形状のベース側シート１１と通水側シート１２を重ね合わせて、封止側と反対側端部の開口部１３を除く周縁部（縁辺）を熱溶着した構造である。
【００２０】
通水側シート１２の封止側端部には、多数の細かい通水孔１４が貫通して設けられている。
通水側シート１２の封止側端部には、ポケットシート２が通水孔１４が設けてある部分を覆うように重ねられ、封止側と反対側端部の開口部２１を除く周縁部（縁辺）をベース側シート１１及び通水側シート１２とともに熱溶着した構造である。これにより、ポケット部Ｐが形成される。
なお、図１において、熱溶着した縁辺をａで表し、熱溶着していない縁辺をｂで表している。
【００２１】
（作　用）
図３は袋容器にネギを収容して封入した状態を示す説明図。
図４は袋容器に水が入っている状態を示す要部断面説明図である。
図１ないし図４を参照して、本実施の形態に係る袋容器の作用を説明する。
【００２２】
本実施の形態に係る袋容器Ａ１の使用方法及び作用を、ネギを包装し店頭で販売する場合で説明する。
管状の袋本体１に、開口部１３から、ネギ３が収容される。ネギ３には根３０が付いており、ネギ３はこの根３０が付いている側が通水孔１４側（封止側）に収まるようにして収容される。ネギ３を収容した後、袋本体１の開口部１３側は、熱溶着されて封止部１５が設けられる。
これにより、ネギ３はほぼ密封状態で包装でき、ほこり等の進入を防止できるので衛生的である。
【００２３】
袋容器Ａ１で包装されたネギ３はそのまま出荷される。出荷されたネギ３は市場等を経て店頭に並べられ販売される。この際、袋容器Ａ１で包装されたネギ３をまとめて立てて上から散水すれば、各袋容器Ａ１のポケット部Ｐに開口部２１から水Ｗ（図４に図示）が入り、水は各通水孔１４を通って根３０に供給されて、ネギ３の鮮度を保つことができる。ポケット部Ｐ及び袋本体１底部に入った水は、ポケット部Ｐの作用で外部へは容易には漏れないので、周りを濡らしたり汚したりしにくい。
なお、ネギ３を包装した袋容器Ａ１は、水を入れた容器に挿して水分を供給することもできる。また、このような水分補給をネギ３の出荷前に行うこともできる。
【００２４】
図５は本発明に係る袋容器の他の実施の形態を示す斜視図である。
袋容器Ａ２は、上記袋容器Ａ１と同じ構造の袋容器に保水体４を加えた形態であり、図において上記袋容器Ａ１と同一箇所には同一の符号を付して示し、構造について重複する説明は省略する。
保水体４はポケット部Ｐの内部に収容されている。保水体４は、やや厚手の不織布で長方形状につくられており、数ｍｌの水を取り込んで保持することができる。
【００２５】
袋容器Ａ２によれば、保水体４に水を含ませることにより、散水したり水に浸けたりすることなく、各通水孔１４を通じて袋本体１内にあるネギ３の根３０に水分を供給することができ、鮮度を保つことができる。
また、水は保水体４に取り込まれて保持されており、流れ出しにくいので、ポケット部Ｐの作用とも相まって、上記袋容器Ａ１と比較して周囲を汚しにくい効果がより高い。
【００２６】
図６は本発明に係る袋容器の製造方法における各シートの重ね方を示す説明図、
図７は本発明に係る袋容器の製造方法における熱溶断の方法を示す説明図である。
図６及び図７を参照して袋容器の製造方法を説明する。
【００２７】
（１）袋容器Ａ１の長さＬ１の二倍の幅Ｌ２（いずれも図７に図示）を有するベース用フィルム１１０と、同じく袋容器Ａ１の長さの二倍の幅を有し幅方向の中央に送り出し方向Ｘ（図７に図示）へ所定の幅Ｌ３（図６に図示）で設けられた多数の通水孔１４からなる通水孔帯１４０を有する通水用フィルム１２０と、通水孔帯１４０よりやや幅広に形成されポケットシート２の長さＬ４（図１に図示）の二倍の幅Ｌ５（図７に図示）を有するポケットフィルム２０を用意する。
各フィルムは、それぞれロール状に巻き取られており、製造装置（図示省略）に繰り出し可能に装着されている。
【００２８】
（２）ベース用フィルム１１０と、通水用フィルム１２０及びポケットフィルム２０は、図６に示すようにベース用フィルム１１０の上に通水用フィルム１２０を縁部を合わせるようにして重ね合わせ、更に通水用フィルム１２０にポケットフィルム２０を通水孔帯１４０を覆うようにして重ね合わせる。なお、ポケットフィルム２０は、幅方向の両端部側が通水孔帯１４０の両端縁部より張り出すように配置してある。
【００２９】
（３）各フィルムは、重なった状態でＸ方向に送り出され、製造装置の熱溶断機（図示省略）によって熱溶断される。熱溶断は、図７に示すように、溶断線Ｃ１によって送り出し方向に等間隔（袋容器Ａ１の幅）で全幅が熱溶断され、溶断線Ｃ２によってポケットフィルム２０の幅方向の中央部が送り出し方向に熱溶断される。これにより、重ね合わせた各シートは、熱溶断部が熱溶着され、図７に斜線部で示す袋容器Ａ１の形状で切り離される。このようにして、袋容器Ａ１を連続して製造することができる。
【００３０】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００３１】
【発明の効果】
本発明は上記構成を備え、次の効果を有する。
（ａ）袋本体のうちポケットシートで覆われている部分に、袋本体内部に通じる所要数の通水孔が設けられているので、ネギ等の野菜を収容した袋容器に散水したり水に浸けることにより、袋容器のポケットに水が入り、水分は通水孔を通ってネギ等の根に供給されるので、ネギ等の鮮度を保つことができる。なお、ポケット及び袋本体底部に入った水は、ポケットの作用で外部へは容易には漏れないので、周りを濡らしたり汚したりしにくい。
【００３２】
（ｂ）ポケットの内部または袋本体内部の封止側に保水体を収容したものは、保水体に水を含ませることにより、散水したり水に浸けたりすることなく、通水孔を通じて袋本体内にあるネギ等の野菜の根に水分を供給することができ、鮮度を保つことができる。
また、水は保水体に取り込まれて保持されるので流れ出しにくく、ポケットの作用とも相まって、周囲を汚しにくい効果がより高い。
【図面の簡単な説明】
【図１】本発明に係る袋容器の一実施の形態を示す斜視図。
【図２】袋容器の構造を示す各シートを分離した説明図。
【図３】袋容器にネギを収容して封入した状態を示す説明図。
【図４】袋容器に水が入っている状態を示す要部断面説明図。
【図５】本発明に係る袋容器の他の実施の形態を示す斜視図。
【図６】本発明に係る袋容器の製造方法における各シートの重ね方を示す説明図。
【図７】本発明に係る袋容器の製造方法における熱溶断の方法を示す説明図。
【符号の説明】
Ａ１　袋容器
１　袋本体
１１　ベース側シート
１２　通水側シート
１３　開口部
１４　通水孔
１５　封止部
Ｐ　ポケット部
２　ポケットシート
２１　開口部
３　ネギ
３０　根
４　保水体
２０　ポケットフィルム
１１０　ベース用フィルム
１２０　通水用フィルム
１４０　通水孔帯
Ａ２　袋容器
Ｃ１　溶断線
Ｃ２　溶断線
Ｗ　水
Ｌ１　袋容器Ａ１の長さ
Ｌ２　Ｌ１の二倍の幅
Ｌ３　通水孔帯１４０の幅
Ｌ４　ポケットシート２の長さ
Ｌ５　Ｌ４の二倍の幅
Ｗ　送り出し方向
【図１】
2004099099.tif 000003
【図２】
2004099099.tif 000004
【図３】
2004099099.tif 000005
【図４】
2004099099.tif 000006
【図５】
2004099099.tif 000007
【図６】
2004099099.tif 000008
【図７】
2004099099.tif 000009